(57)【要約】      （修正有）【課題】ＬＡＮケーブルを用いたコンピュータネットワーク間の中継で、ネットワークの遮断及び開通を自動制御する中継機を提供する。【解決手段】ＬＡＮケーブルを用いたコンピュータネットワーク間の中継をする中継機３０であって、第１のＬＡＮケーブルコネクタと、第２のＬＡＮケーブルコネクタと、平常時、第１のＬＡＮケーブルコネクタと第２のＬＡＮケーブルコネクタの間を遮断状態としている一方、リレースイッチ制御信号によって作動すると、第１のＬＡＮケーブルコネクタと第２のＬＡＮケーブルコネクタの間の相互通信を可能とする開通状態となるリレースイッチと、あらかじめ設定された開通時刻になるとリレースイッチ制御信号をリレースイッチに供給するとともに、あらかじめ設定された遮断時刻になるとリレースイッチ制御信号の供給を停止するコントローラとを有する。【選択図】図８
0003198631.tif 000002
【実用新案登録請求の範囲】
【請求項１】
ＬＡＮ配線を用いたコンピュータネットワーク間の中継で、ネットワークの遮断及び開通を自動制御する中継機。
【請求項２】
前記中継機で初期の中継状態が遮断しており、遮断状態、開通状態が機器本体で確認できるシステム。
【請求項３】
前記中継機で複数のパターンで曜日、開通時刻、遮断時刻を機器本体で設定できるシステム。
【考案の詳細な説明】
【技術分野】
【０００１】本考案は、ＬＡＮケーブルを用いたコンピュータネットワーク間の中継で、ネットワークの遮断及び開通を自動制御する中継機及びその方法に関するものである。
【背景技術】
【０００２】コンピュータネットワークの技術発達により、利用者はインターネットへアクセスし遠隔地でも情報の発信・受信が可能となった。また、組織内でのイントラネットにアクセスすればインターネットよりも情報の共有範囲は限られるが、より高度な情報の共有が可能となった。現在ではコンピュータネットワークは誰でもネットワークの要件を満たせば２４時間、どこでも利用でき非常に便利となった。【０００３】しかし昨今では、個人や企業、官公庁などの基幹システムサーバー１やイントラネット内のクライアント２，３に対し、インターネット４を介したサイバー攻撃が多数発生し、外部からの不正アクセス者５の防止に多くのセキュリティ対策を立てる必要が生じている。（図１参照）【０００４】また、外部からの不正アクセスに対するセキュリティだけでなく、インターネット接続をしていなくとも、企業、官公庁などの組織内ネットワークであるイントラネット内で、組織内で不正アクセス者９が基幹システム６やクライアント７，８に対してデータの不正持出やシステムの破壊行為をしているケースが問題となっており、組織内においてもセキュリティ対策を立てる必要が生じている。（図２参照）【０００５】そして、従量制課金接続を採用している場合、常にインターネット１１に接続している状態であるので、端末１０や端末内に搭載しているソフトウェアによっては自動的に通信が行われ、使用者がインターネットを使用した認識がなくとも通信料が発生するケースがあり、経済性が悪い。（図３参照）【０００６】一方で、子供を持つ家庭や教育機関である学校などでは、インターネット１１がつながる端末１０で、管理者の監督外において、子供がインターネットを通じてアダルトサイトや暴力的なサイトから不道徳な情報を取得する恐れもある。（図３参照）
【考案の概要】
【考案が解決しようとする課題】
【０００７】解決しようとする問題点は、常にコンピュータネットワークが開通している状態が、上述の通り、セキュリティ脆弱性や経済性のリスク、また子供が不道徳な情報を取得するリスクを高めている点である。
【考案が解決しようとするための手段】
【０００８】本考案は、上記の実情を鑑みて、図４であるように別々にあるネットワークＡ１２とネットワークＢ１４とのＬＡＮ接続をする際に中継機１３を設置し、任意で定めた時間においてコンピュータネットワークを遮断及び開通させる中継機器及び方法を提供しようとするものである。
【考案の効果】
【０００９】段落［０００３］の考案効果として、イントラネットとインターネット１９の間に本考案の中継機１８を設置し、予め使用しない時間においてコンピュータネットワークを遮断する。これにより常時開通している状態と比較して、確実にサイバー攻撃のセキュリティの脆弱性に関するリスクを下げる。（図５参照）
【００１０】また、段落［０００４］の考案効果として、イントラネット内で基幹システムサーバー２０との間に本考案の中継機２３を設置することで、システム稼働時間外は基幹システムサーバー２０でのネットワークを遮断するため、組織内関係者がデータの不正持出やシステムの破壊行為などといったセキュリティの脆弱性に関するリスクを下げる。（図６参照）
【００１１】そして、段落［０００５］の考案効果として、インターネットプロバイダ契約を従量制課金接続にてしいる利用者に対してはインターネット２６接続の中継に本考案の中継器２５を設置することで、予め使用時間外のインターネット２６接続を遮断させることで、端末２４や端末内のソフトウェアにて行われる自動のデータ通信を制限し、経済性の向上に寄与するという利点がある。（図７参照）
【００１２】そして、段落［０００６］の考案効果として、インターネット２６接続の中継に本考案の中継器２５を設置することで、管理者の監督外の時間帯において予め端末２４のインターネット２６接続状態を遮断を行い、子供が不道徳な情報を取得するリスクを下げることができる。（図７参照）
【図面の簡単な説明】
【００１３】
【図１】インターネットを介したサイバー攻撃の簡易イメージ図
【図２】イントラネット内でのデータ不正持出の簡易イメージ図
【図３】インターネット接続するパソコンの簡易イメージ図
【図４】本考案の中継機の簡易イメージ図
【図５】イントラネットとインターネット間において本考案中継機設置後の簡易イメージ図
【図６】イントラネット内で本考案の中継機設置後の簡易イメージ図
【図７】インターネット接続するパソコンに本考案中継機設置後の簡易イメージ図
【図８】本考案の中継機設置例
【図９】本考案の中継機の初期設定フロー
【図１０】本考案の中継機の開通時間設定フロー
【図１１】本考案の中継機
【図１２】本考案の中継機概要図２（外観）
【考案を実施するための形態】
【００１４】図１１で見られるようにＬＡＮケーブルコネクタＡ３５とＬＡＮケーブルコネクタＢ３７の間にリレースイッチを設置する。平常時はリレースイッチが作動せずにＬＡＮケーブルコネクタＡ３５とＬＡＮケーブルコネクタＢ３７の間は遮断状態となるが、ＰＩＣ３４からの送られるリレースイッチ制御信号によってリレースイッチ３６が作動し、ＬＡＮケーブルコネクタＡ３５とＬＡＮケーブルコネクタＢ３７の間の相互通信が可能となる。これによって中継機での遮断と開通の制御が可能となる。
【００１５】図１２のように中継機でＬＣＤモジュール３９の表示情報から操作ボタン４３，４４，４５，４６，４７でボタン操作することで、遮断、開通時間を設定する方式を採用しており、ＬＡＮケーブルを介した外部からの変更を不可能にする構成を実現した。
【００１６】中継機自体で遮断、開通状態が判別できるように開通状態にはＬＥＤ（緑）４１が点灯し、遮断状態ＬＥＤ（赤）４２が点灯する構成を実現した。（図１２参照）
【００１７】受電方法にＵＳＢコネクタ４０経由を採用したため、パソコンのＵＳＢコネクタからＵＳＢケーブルでの受電、及びＵＳＢケーブルから変換プラグを用いたコンセントからの受電を可能とした。
（図１２参照）
【実施例】
【００１８】中継機設置時に電源に接続した状態で、図９のフローに従って中継機本体で現在時刻と曜日を設定する。【００１９】次に、ネットワークを開通させる際の開通時間の設定を中継機本体で、図１０に基づいて行う。【００２０】最後に中継するネットワーク間のＬＡＮケーブルをＬＡＮケーブルコネクタＡ４８、ＬＡＮケーブルコネクタＢ４９に挿入する。（図１２参照）【００２１】開通時刻になれば、ＰＩＣ３４からリレースイッチ３６に制御信号が供給され、中継機間のネットワークが利用可能となる。開通状態ではＬＥＤ（緑）４１が点灯する。（図１１、図１２参照）【００２２】遮断時刻になれば、メイン基盤からＬＡＮ回路基盤へ電源が供給が停止され、ネットワークが遮断された状態に戻る。遮断状態ではＬＥＤ（赤）４２が点灯する。（図１２参照）
【産業上の利用可能性】
【００２３】産業上の利用可能性は主に以下の４点にまとめる。
（１）企業や官公庁などが予め定められた時間に、ＶＰＮ３２やグローバルＩＰアドレスを利用してＦＴＰ（ＦｉｌｅＴｒｎｓｆｅｒＰｒｏｔｏｏｌ）通信などで上位システムサーバー３３と下位システムサーバー２７のデータ送受信を行う場合、送受信の時間帯のみネットワークの開通を許可し、セキュリティの安全性を高める。（図８参照）
（２）組織内部においても、組織稼働時間内で開通時間を定め、関係者以外に開通時間を知る必要がなく自由にアクセスできる環境になく、情報の不正持出に関してセキュリティの安全性を高めると同時に不正持出をした者の特定が比較的容易に実現できる。
（図６参照）
（３）インターネットプロバイダ契約で従量制課金接続を採用している場合、日常の使用時間帯のみ開通させておくことで端末や端末内のソフトウェアで行われる自動のデータ通信を制限し、データ通信料を下げることが出来る。（図７参照）
（４）子供がいる家庭や学校などで、管理者の監督外の時間帯においてインターネット接続を遮断することで、子供が不道徳な情報を得るリスクを下げる。（図７参照）
【符号の説明】
【００２４】１，６，１５，２０                          イントラネット内基幹サーバー
２，３，７，８，１６，１７，２１，２２，２８，２９  イントラネット内クライアント
４，１１，１９，２６，３１                  インターネット
５                                          インターネットを介した不正アクセス者
９                                          イントラネット内の不正アクセス者
１０，２４                                  インターネットユーザー端末
１２                                        ネットワークＡ
１３，１８，２３，２５，３０                本考案中継器
１４                                        ネットワークＢ
２７                                        下位システムサーバー
３２                                        ＶＰＮ
３３                                        上位システムサーバー
３４                                        ＰＩＣ
３５，４８                                  ＬＡＮケーブルコネクタＡ
３６                                        リレースイッチ
３７，４９                                  ＬＡＮケーブルコネクタＢ
３８                                        機器外郭部分
３９                                        ＬＤモジュール
４０                                        ＵＳＢ受電用コネクタ
４１                                        ＬＥＤ（緑）
４２                                        ＬＥＤ（赤）
４３                                        操作用ボタン（左）
４４                                        操作用ボタン（上）
４５                                        操作用ボタン（決定）
４６                                        操作用ボタン（下）
４７                                        操作用ボタン（右）
【図１】
0003198631.tif 000003
【図２】
0003198631.tif 000004
【図３】
0003198631.tif 000005
【図４】
0003198631.tif 000006
【図５】
0003198631.tif 000007
【図６】
0003198631.tif 000008
【図７】
0003198631.tif 000009
【図８】
0003198631.tif 000010
【図９】
0003198631.tif 000011
【図１０】
0003198631.tif 000012
【図１１】
0003198631.tif 000013
【図１２】
0003198631.tif 000014
【手続補正書】
【提出日】平成27年4月14日(2015.4.14)
【手続補正１】
【補正対象書類名】実用新案登録請求の範囲
【補正対象項目名】全文
【補正方法】変更
【補正の内容】
【実用新案登録請求の範囲】
【請求項１】
ＬＡＮ配線を用いたコンピュータネットワーク間の中継をする中継機であって、
第１のＬＡＮケーブルコネクタと、
第２のＬＡＮケーブルコネクタと、
平常時、第１のＬＡＮケーブルコネクタと第２のＬＡＮケーブルコネクタの間を遮断状態としている一方、リレースイッチ制御信号によって作動すると、第１のＬＡＮケーブルコネクタと第２のＬＡＮケーブルコネクタの間の相互通信を可能とする開通状態となるリレースイッチと、
あらかじめ設定された開通時刻になるとリレースイッチ制御信号をリレースイッチに供給するとともに、あらかじめ設定された遮断時刻になるとリレースイッチ制御信号の供給を停止するコントローラとを有する中継機。
【請求項２】
請求項１に記載されている中継機であって、
リレースイッチが遮断状態又は開通状態のいずれであるかを示すＬＥＤを更に有する中継機。
【請求項３】
請求項１に記載されている中継機であって、
複数のパターンの開通時刻及び遮断時刻をコントローラに設定するための操作ボタンを更に有する中継機。